(57)【要約】【課題】電源制御付きコンピュータシステム及び電源制御方法を提供する。【解決手段】本コンピュータシステムは少なくとも第１記憶部と第２記憶部とを備え、第１記憶部は基本動作時に該コンピュータシステムが必要とするシステムプログラムを記憶している。電源モジュールと該第２記憶部との間の電源路上にスイッチが配置され、該電源モジュールは該第２記憶部が動作するための電力を該スイッチを介して供給する。該第２記憶部がアイドル状態の時、該スイッチを使用して該第２記憶部への電力供給を遮断することで、該コンピュータシステムの電力消費を効果的に低減する。【選択図】図２
2010262621.tif 000002
【特許請求の範囲】
【請求項１】
電源制御付きコンピュータシステムであって、
システムプログラムを記憶するための第１記憶部と、
データを記憶するための第２記憶部と、
該第１記憶部と該第２記憶部とに電気的に接続され、該第１記憶部に記憶された該システムプログラムを読み出して実行することで、該コンピュータシステムが該システムプログラムに基づいて動作するのを可能にするためのプロセッサーと、
該第１記憶部と、該第２記憶部と、該プロセッサーとが動作するのに必要な電力を供給するための電源モジュールと、
該電源モジュールと該第２記憶部との間の電源路上に配置され、該電源路を導通させるか又は遮断するためのスイッチと
を備え、
該スイッチは、該第２記憶部がアクセスされていない時に、該電源路を遮断する電源制御付きコンピュータシステム。
【請求項２】
前記プロセッサーが前記第２記憶部をアクセスする時に、前記スイッチは前記電源路を導通させ、該プロセッサーが該第２記憶部をアクセスしていない時に、該スイッチは該電源路を遮断する請求項１に記載の電源制御付きコンピュータシステム。
【請求項３】
前記プロセッサーは前記スイッチの制御端に電気的に接続され、該スイッチのオン／オフを制御する請求項１に記載の電源制御付きコンピュータシステム。
【請求項４】
前記スイッチの制御端に電気的に接続され、該スイッチのオン／オフを制御する周辺入力装置を更に備える請求項１に記載の電源制御付きコンピュータシステム。
【請求項５】
前記周辺入力装置は１つ以上のキーを有し、該キーは押されると、前記スイッチのオン／オフを制御する切替信号を生成する請求項４に記載の電源制御付きコンピュータシステム。
【請求項６】
前記スイッチの制御端と前記プロセッサーとに電気的に接続され、該スイッチのオン／オフを制御するコントローラを更に備える請求項１に記載の電源制御付きコンピュータシステム。
【請求項７】
前記第１記憶部は、前記第２記憶部のファイル・アロケーション・テーブル（ＦＡＴ）を記憶する請求項１に記載の電源制御付きコンピュータシステム。
【請求項８】
前記第１記憶部は半導体ディスク（ＳＳＤ）であり、前記第２記憶部は回転ハードディスク（ＨＤ）である請求項１に記載の電源制御付きコンピュータシステム。
【請求項９】
前記第１記憶部と前記第２記憶部とは単一の記憶装置に集積化されている請求項１に記載の電源制御付きコンピュータシステム。
【請求項１０】
前記第１記憶部と前記第２記憶部とは該コンピュータシステムの異なる記憶スロットである請求項１に記載の電源制御付きコンピュータシステム。
【請求項１１】
コンピュータシステムに適用可能な電源制御方法であって、
システムプログラムを記憶する第１記憶部と、第２記憶部とを含む複数の記憶部を該コンピュータシステムに設けることと、
該第１記憶部に記憶された該システムプログラムを読み出して実行することで、該コンピュータシステムが該システムプログラムに基づいて動作するのを可能にすることと、
該第２記憶部が動作するのに必要な電力をスイッチを介して供給することと、
該第２記憶部の使用状態を認識することと、
該第２記憶部がアクセスされていない状態である時に、該スイッチをオフし、該第２記憶部への電力供給を遮断することと
を含む電源制御方法。
【請求項１２】
前記スイッチをオフする前記ステップは、前記第２記憶部に記憶された該第２記憶部のファイル・アロケーション・テーブル（ＦＡＴ）の処理状態に応じて該スイッチをオフすることを含む請求項１１に記載の電源制御方法。
【請求項１３】
前記第２記憶部に記憶された該第２記憶部の前記ＦＡＴの処理状態に応じて前記スイッチをオフする前記ステップは、
該第２記憶部に記憶された該第２記憶部の該ＦＡＴの処理状態を検出することと、
該ＦＡＴが処理されていない時に該スイッチをオフすることと、
該ＦＡＴが処理されている時に該スイッチをオン状態のままにすることと
を含む請求項１２に記載の電源制御方法。
【請求項１４】
前記第２記憶部の使用状態を認識する前記ステップは、
該第２記憶部のアクセス状態を検出することと、
該アクセス状態に応じて該第２記憶部の該使用状態を判定することと
を含む請求項１１に記載の電源制御方法。
【請求項１５】
前記コンピュータシステムの周辺入力装置から切替信号を受信することを更に含み、
前記スイッチをオフする前記ステップは、前記第２記憶部がアクセスされていない状態である時に、該切替信号に応答して該スイッチをオフすることを含む請求項１１に記載の電源制御方法。
【請求項１６】
前記第１記憶部に前記第２記憶部のＦＡＴを記憶することを更に含む請求項１１に記載の電源制御方法。
【請求項１７】
前記第１記憶部に記憶された前記第２記憶部の前記ＦＡＴを読み出すことと、
読み出した該第２記憶部の該ＦＡＴに応じて、該第２記憶部のファイル・アロケーション状態を表示することと
を更に含む請求項１６に記載の電源制御方法。
【請求項１８】
前記第１記憶部は半導体ディスク（ＳＳＤ）であり、前記第２記憶部は回転ハードディスク（ＨＤ）である請求項１１に記載の電源制御方法。
【請求項１９】
前記第１記憶部と前記第２記憶部とは単一の記憶装置に集積化されている請求項１１に記載の電源制御方法。
【請求項２０】
前記第１記憶部と前記第２記憶部とは前記コンピュータシステムの異なる記憶スロットである請求項１１に記載の電源制御方法。
【発明の詳細な説明】
【技術分野】
【０００１】
本発明は、電源管理技術、特に、電源制御付きコンピュータシステム及び電源制御方法に関する。
【背景技術】
【０００２】
モバイル・コンピューティング技術が益々進歩するのに伴って、様々な電子製品が次々と提案され登場している。これらの電子製品は、ユーザが仕事、勉学、及び生活において様々な課題、例えば文書処理、データ分析、インターネットサービス、マルチメディア娯楽サービスに対処するのを助けることができるので、ユーザの生活の重要な一部になっている。
【０００３】
しかし、電子製品の機能が高くなるほど、より多くのハードウェア装置、例えば処理チップセット、外部拡張インターフェースカード、無線送信装置等が必要となり、その結果、電力消費が相対的に増加する。従って、電源管理システムは、現在の電子製品、特に携帯情報端末（ＰＤＡ）、ノートパソコン、携帯電話等の携帯電子装置の開発において重要な項目である。
【０００４】
携帯電子装置は、ユーザが移動しながら使用することができ非常に便利であるが、外部電源装置が接続されていない場合、自身の内蔵電源装置、例えば電池からのみ電力供給される。従って、電源が制限されており、電子装置の節電技術はかなり重要である。
【０００５】
例えば、通常のパソコン（ＰＣ）又はノートパソコンの中央処理装置（ＣＰＵ）は、ハードウェア部品、例えばＣＰＵ、ハードディスク（以下、ＨＤと略称する）、表示装置、又はメモリの電力消費を、オペレーティングシステム（以下、ＯＳと略称する）においてアイドル状態に基づき電力制御インターフェース（ＡＣＰＩ）の設定に従って、調整することで、多レベル電力調整を実行し、いわゆる節電モード又はスリープ状態に入ることができる。ソフトウェアによって実行される電源管理は、主にユーザの使用習慣及び電源が十分か否かに応じてウィンドウズ（登録商標）等のＯＳにおいて個別に設定を行う。従って、この節電技術は設定が複雑であるだけでなく、効率が悪い。
【発明の概要】
【発明が解決しようとする課題】
【０００６】
従って、本発明は、ソフトウェアによって実行される電源管理は、設定が複雑であるだけでなく、効率が悪いという従来技術の問題を解決する電源制御付きコンピュータシステム及び電源制御方法を提供する。
【課題を解決するための手段】
【０００７】
上記の目的を達成するために、電源制御付きコンピュータシステムは、第１記憶部と、第２記憶部と、プロセッサーと、電源モジュールと、スイッチとを備える。
【０００８】
該電源モジュールは、該第１記憶部と、該第２記憶部と、該プロセッサーとが動作するのに必要な電力を供給する。
【０００９】
該プロセッサーは、該第１記憶部と該第２記憶部とに電気的に接続され、該コンピュータシステムが起動された後、該第１記憶部に記憶されたシステムプログラムを読み出して実行することで、該コンピュータシステムが該システムプログラムに基づいて動作するのを可能にする。
【００１０】
該スイッチは該電源モジュールと該第２記憶部との間の電源路上に配置されている。
【００１１】
該プロセッサーが該第２記憶部をアクセスする時、該スイッチはオンされ、該電源モジュールと該第２記憶部との間の該電源路を導通させる。該プロセッサーが該第２記憶部をアクセスしていない時、該スイッチはオフされ、該電源モジュールと該第２記憶部との間の該電源路を遮断して、該第２記憶部への電力供給を停止する。
【００１２】
該スイッチのオン／オフを制御するために周辺入力装置が使用される。又は、該プロセッサー又はコントローラが該第２記憶部の使用状態をソフトウェアを介して取得して、該スイッチのオン／オフを制御する。
【００１３】
前記第１記憶部と前記第２記憶部とは、２つの独立した記憶装置であっても、又は単一の記憶装置に集積化されていてもよい。前記第１記憶部は半導体ディスク（ＳＳＤ）であってもよく、前記第２記憶部は回転ハードディスク（ＨＤ）であってもよい。これにより該コンピュータシステムの性能が更に向上する。また、ＳＳＤを使用する該第１記憶部と回転ＨＤを使用する該第２記憶部とは２つの独立した記憶装置であっても、又は一つの記憶装置の２つの記憶空間であってもよい。
【００１４】
また、該コンピュータシステムの前記第１記憶部と前記第２記憶部とは２つの異なる記憶スロットを占めてもよい。
【００１５】
前記第２記憶部のファイル・アロケーション・テーブル（ＦＡＴ）は、前記第２記憶部又は前記第１記憶部に配置されてよい。該プロセッサーが該第２記憶部にアクセスしていない時、該第２記憶部のＦＡＴの処理状態に応じて該スイッチをオフするか否かを決定する。
【００１６】
コンピュータシステムに適用される電源制御方法が提供される。この電源制御方法は、少なくとも第１記憶部と第２記憶部とを含む複数の記憶部を該コンピュータシステムに設けることと、該第１記憶部に記憶されたシステムプログラムを読み出して実行することで、該コンピュータシステムが該システムプログラムに基づいて動作するのを可能にすることと、該第２記憶部が動作するのに必要な電力をスイッチを介して供給することと、該第２記憶部の使用状態を認識することと、該第２記憶部が使用される時、該スイッチをオンし、該第２記憶部がアクセスされていない時に、該スイッチをオフし、該第２記憶部への電力供給を遮断することとを含む。
【００１７】
上記で説明したように、本発明の電源制御付きコンピュータシステム及び電源制御方法は、コンピュータシステムが、記憶部がアイドル状態の時（例えば、記憶部に記憶されたファイルを処理又は読み出ししない時）、スイッチにより該記憶部への電力供給を遮断し、それにより電力消費を効果的に低減することを可能にする。
【００１８】
本発明の上記の説明と、実施形態の下記の説明は、本発明の原理を示し説明するよう、また本発明の請求項の説明を提供するよう意図されている。
本発明は、限定のためでなく例示だけのための下記の詳細な説明から完全に理解されるであろう。
【図面の簡単な説明】
【００１９】
【図１】本発明の第１の実施形態に係る電源制御方法のフローチャートである。
【図２】本発明の第１の実施形態に係る電源制御付きコンピュータシステムの概略構成図である。
【図３】本発明の第２の実施形態に係る電源制御付きコンピュータシステムの概略構成図である。
【図４】本発明の第３の実施形態に係る電源制御付きコンピュータシステムの概略構成図である。
【図５】本発明の第２の実施形態に係る電源制御方法のフローチャートである。
【図６】本発明の第４の実施形態に係る電源制御付きコンピュータシステムの概略構成図である。
【図７】本発明の第５の実施形態に係る電源制御付きコンピュータシステムの概略構成図である。
【図８】本発明の第６の実施形態に係る電源制御付きコンピュータシステムの概略構成図である。
【図９】本発明の第７の実施形態に係る電源制御付きコンピュータシステムの概略構成図である。
【図１０Ａ】本発明の実施形態に係る電源制御方法に対応する節電プログラムのフローチャートである。
【図１０Ｂ】本発明の実施形態に係る電源制御方法に対応する節電プログラムのフローチャートである。
【図１０Ｃ】本発明の実施形態に係る電源制御方法に対応する節電プログラムのフローチャートである。
【図１０Ｄ】本発明の実施形態に係る電源制御方法に対応する節電プログラムのフローチャートである。
【発明を実施するための形態】
【００２０】
図１は本発明の実施形態に係る電源制御方法を示す。この電源制御方法は図２に示すコンピュータシステム２００に適用される。
【００２１】
図１と図２を参照すると、コンピュータシステム２００は、記憶部２１０、プロセッサー２３０、及び電源モジュール２５０を主に含む。
【００２２】
本実施形態において、コンピュータシステム２００は２つ以上の記憶部２１０を備える（ステップ１１０）。実施形態の説明を容易にするために、下記では２つの記憶部２１０、即ち第１記憶部２１２と第２記憶部２１４とを例にとる。
【００２３】
第１記憶部２１２は基本動作時にコンピュータシステム２００が必要とするシステムプログラムを記憶する。例えば、起動後、コンピュータシステム２００が実行するウィンドウズ、又はリナックス等のオペレーティングシステム（ＯＳ）のシステムプログラムが第１記憶部２１２に記憶されている。コンピュータシステム２００の起動後、実行されるアプリケーションプログラム（以下、ＡＰと略称する）、例えばウイルス対策プログラム等の常駐プログラムも第１記憶部２１２に記憶されている。言い換えると、基本動作時にコンピュータシステム２００が必要とするプログラムは第１記憶部２１２に記憶されている。
【００２４】
第２記憶部２１４は他のデータ、例えば文書ファイル、ＡＰ、マルチメディアファイル等を記憶するために使用される。
【００２５】
プロセッサー２３０は第１記憶部２１２と第２記憶部２１４とに電気的に接続されている。コンピュータシステム２００が起動された後、プロセッサー２３０は第１記憶部２１２に記憶されたシステムプログラムを読み出して実行し、コンピュータシステム２００が該システムプログラムに基づいて動作するのを可能にする（ステップ１３０）。例えば、このシステムプログラムに基づいて、プロセッサー２３０は、第１記憶部２１２に記憶された他のプログラムを読み出して実行するか、第２記憶部２１４に記憶された文書ファイルを読み出して編集するか、第２記憶部２１４に記憶されたＡＰまたはマルチメディアファイルを読み出して実行するか、又は第２記憶部２１４にファイルを記憶する。
【００２６】
一般に、電源モジュール２５０はコンピュータシステム２００の電子部品、例えば記憶部２１０、プロセッサー２３０、表示装置２９０に電気的に接続され、これらの部品が動作するのに必要な電力を供給する。
【００２７】
特に、電源モジュール２５０は第１記憶部２１２、第２記憶部２１４、及びプロセッサー２３０が動作するのに必要な電力を、それぞれ電源路を介して供給する。
【００２８】
例えば、コンピュータシステム２００が通常のパソコン（ＰＣ）である場合、電源モジュール２５０は電源装置を備え、コンピュータシステム２００が携帯情報端末（ＰＤＡ）、ノートパソコン、携帯電話等の携帯電子装置である場合、電源モジュール２５０は電池を備える。
【００２９】
本実施形態では、スイッチ２７０が電源モジュール２５０と第２記憶部２１４との間の電源路上に配置され、電源モジュール２５０は第２記憶部２１４が動作するのに必要な電力を、スイッチ２７０を介して供給する（ステップ１５０）。スイッチ２７０はハードウェア部品、例えばトランジスタ等の電子部品である。言い換えると、実施形態において、本発明のコンピュータシステム２００が節電モードにある時、該ハードウェアスイッチは、アイドル状態のハードウェア部品への電力供給を遮断するために使用される。
【００３０】
第２記憶部２１４が使用されていない時（ステップ１７２）、即ち、第２記憶部２１４がアクセスされていない時（例えば、第２記憶部２１４内のデータが読み出し、記憶、又は実行されていない時）、スイッチ２７０はオフされ（開く）、電源モジュール２５０と第２記憶部２１４との間の電源路を遮断し（ステップ１９２）、第２記憶部２１４への電力供給を停止する。第２記憶部２１４が使用される時（ステップ１７４）、即ち、第２記憶部２１４がアクセスされる時（例えば、第２記憶部２１４内のデータが読み出し、記憶、又は実行される時）、スイッチ２７０はオンされ（閉じる）、電源モジュール２５０と第２記憶部２１４との間の電源路を導通させ（ステップ１９４）、電源モジュール２５０が第２記憶部２１４に電力を供給するのを可能にする。
【００３１】
言い換えると、プロセッサー２３０が第２記憶部２１４にアクセスし、例えば文書ファイル又はマルチメディアファイルを第２記憶部２１４に記憶するか、第２記憶部２１４に記憶された文書ファイルを表示又は編集するか、第２記憶部２１４に記憶されたマルチメディアファイルを再生するか、又は第２記憶部２１４に記憶されたプログラムを読み出して実行する場合、スイッチ２７０は電源モジュール２５０と第２記憶部２１４との間の電源路を導通させ、第２記憶部２１４が動作するのに必要な電力を電源モジュール２５０が供給するのを可能にする。プロセッサー２３０は第２記憶部２１４内のデータにアクセスしていない時、スイッチ２７０は電源モジュール２５０と第２記憶部２１４との間の電源路を遮断し、第２記憶部２１４への電力供給を停止する。このようにして、コンピュータシステム２００の電力消費を効果的に低減する。
【００３２】
第１記憶部２１２と第２記憶部２１４とは２つの独立した記憶装置であっても、単一の記憶装置に集積化されてもよい。第１記憶部２１２はＳＳＤであってもよく、第２記憶部２１４は回転ＨＤであってもよい。即ち、高い読み出し速度を有するＳＳＤが、基本動作時にコンピュータシステムが必要とするシステムプログラムを記憶するために使用され、高い書き込み速度を有する回転ＨＤが、他の不要なデータを記憶するために使用され、コンピュータシステム２００の性能を更に向上させる。
【００３３】
また、ＳＳＤを使用する第１記憶部２１２と回転ＨＤを使用する第２記憶部２１４とは、２つの独立した記憶装置であっても、一つの記憶装置の２つの記憶空間であってもよい。
【００３４】
また、第１記憶部２１２と第２記憶部２１４とは、コンピュータシステム２００のＯＳ内の２つの異なる記憶スロット、例えばＣスロットとＤスロットであってもよい。
【００３５】
また、第２記憶部２１４が現在使用可能（電力供給されている）か使用不可（電力供給されていない）かをコンピュータシステム２００のユーザに知らせるために、コンピュータシステム２００の表示装置２９０に標識が表示される。
【００３６】
電源モジュール２５０と第２記憶部２１４との間の電源路上のスイッチ２７０のオン／オフは、ハードウェア又はソフトウェアにより可能にされる。即ち、コンピュータシステム２００の周辺ハードウェア装置（例えば、周辺入力装置）が、該スイッチのオン／オフを制御するために使用される。又は、コンピュータシステム２００のプロセッサー２３０又はコントローラが、第２記憶部２１４の使用状態をソフトウェアを介して取得してスイッチ２７０のオン／オフを制御する。
【００３７】
ハードウェアの場合は、図３を参照すると、スイッチ２７０の制御端はコンピュータシステム２００の周辺入力装置３１０（例えば、キーボード）に電気的に接続されている。これにより、周辺入力装置３１０上のホットキーが押されると切替信号が生成され、この切替信号に応答して該スイッチがオン／オフされる。
【００３８】
特に、周辺入力装置３１０上の１つ以上のキーが、該スイッチをオン／オフするためのホットキー（例えば、キーＦｎ＋キーＦ１０）として設定される。ユーザがキーＦｎとＦ１０を同時に押すと、周辺入力装置３１０は該スイッチのオン／オフを可能にする切替信号を生成する。
【００３９】
また、周辺入力装置３１０はスイッチ２７０の制御端にコントローラ３３０を介して接続されている。周辺入力装置３１０が切替信号を生成すると、コントローラ３３０はこの切替信号を受信し、この切替信号に応答してスイッチ２７０のオン／オフを制御し、スイッチ２７０をオン状態からオフ状態、又はオフ状態からオン状態に切替える。
【００４０】
ソフトウェアの場合は、図４を参照すると、スイッチ２７０の制御端はコンピュータシステム２００の表示フレーム上の切替アイコン３１２に結合されている。これにより、切替アイコン３１２をオンすると切替信号が生成され、この切替信号に応答してスイッチ２７０がオン／オフされる。
【００４１】
例えば、コンピュータシステム２００のプロセッサー２３０がスイッチ２７０をオン／オフするためのＡＰを実行し、コンピュータシステム２００の表示装置（不図示）上に切替アイコン３１２を表示する。ユーザが表示フレーム上の切替アイコン３１２をマウス（不図示）でクリックする（即ち、マウスを操作する）と、プロセッサー２３０はスイッチ２７０のオン／オフを可能にする切替信号を生成する。
【００４２】
また、切替アイコン３１２はスイッチ２７０の制御端にコントローラ３３０を介して接続されている。言い換えると、プロセッサー２３０はスイッチ２７０の制御端にコントローラ３３０を介して接続されている。切替アイコン３１２がオンされてプロセッサー２３０が切替信号を生成すると、コントローラ３３０はこの切替信号を受信し、この切替信号に応答してスイッチ２７０のオン／オフを制御し、スイッチ２７０をオン状態からオフ状態、又はオフ状態からオン状態に切替える。
【００４３】
また、図５を参照すると、スイッチ２７０がオン状態の時、切替信号を受信した後（ステップ１６０）、該プロセッサーは先ず第２記憶部２１４のアクセス状態を検出し（ステップ１７０）、第２記憶部２１４のアクセス状態に応じて該スイッチのオン（閉じる）／オフ（開く）を制御する（ステップ１９２又はステップ１９４）。
【００４４】
即ち、切替信号を受信した時（ステップ１６０）、プロセッサー２３０が第２記憶部２１４をアクセスしている場合（ステップ１７４）は、切替信号に応答したスイッチ２７０の切替えは実施されない。即ち、スイッチ２７０はオン状態からオフ状態に切替えられることがない。一方、切替信号を受信した時（ステップ１６０）、プロセッサー２３０が第２記憶部２１４にアクセスしていない場合（ステップ１９４）は、切替信号に応答してスイッチ２７０はオン状態からオフ状態に切替えられる（ステップ１９２）。
【００４５】
ソフトウェアの場合は、図６、図７を参照すると、スイッチ２７０の制御端はコントローラ３３０又はプロセッサー２３０に電気的に接続され、コントローラ３３０又はプロセッサー２３０は、ソフトウェア又はファームウェアプログラムＳ／Ｗを介して第２記憶部２１４のアクセス状態を検出して、第２記憶部２１４の該アクセス状態に応じてスイッチ２７０のオン／オフを制御する。
【００４６】
例えば、コントローラ３３０は承認（ＡＣＫ）要求をプロセッサー２３０に送信し、プロセッサー２３０が第２記憶部２１４のアクセス状態を通知することを要求する。第２記憶部２１４はアクセスされていないことを通知する場合は、プロセッサー２３０はＡＣＫ信号をコントローラ３３０に返し、コントローラ３３０が該スイッチをオフするのを承認する。
【００４７】
図８、図９を参照すると、プロセッサー２３０が実行する基本入出力システムＡＣＰＩソース言語コード（ＢＩＯＳ・ＡＳＬコード）又はＡＰがコントローラ３３０からＡＣＫ要求を受信した時、ＢＩＯＳ・ＡＳＬコード又はＡＰは第２記憶部２１４が使用中か否かをＯＳに問い合わせる。ＯＳは第２記憶部２１４が使用中か否かを示す情報をレジスタ（不図示）に記録する。第２記憶部が使用されていない時、ＯＳは、ＢＩＯＳ・ＡＳＬコード又はＡＰに第２記憶部が使用されていないことを通知し、ＢＩＯＳ・ＡＳＬコード又はＡＰはＡＣＫ信号をコントローラ３３０に返して、コントローラ３３０がスイッチ２７０をオフするのを許可する。
【００４８】
コントローラ３３０は、記憶部２１０のアクセスを制御するためのＨＤコントローラであってもよい。言い換えると、スイッチ２７０のオン／オフと記憶部２１０のアクセスとは、１つのコントローラ３３０又は２つの独立したコントローラ３３０により制御されてよい。
【００４９】
また、プロセッサー２３０が第２記憶部２１４にアクセスしていない時、電源モジュール２５０と第２記憶部２１４との間の電源路を遮断するためにスイッチ２７０をオフする（開く）前に、プロセッサー２３０は第２記憶部２１４のファイル・アロケーションの閲覧状態を検出する。
【００５０】
コンピュータシステム２００は、第２記憶部２１４のファイル・アロケーションに対応したファイル・アロケーション・テーブル（ＦＡＴ）を備えている。従って、プロセッサー２３０が第２記憶部２１４のＦＡＴを処理（ＦＡＴチェーンの読みだしとチェック）すると、第２記憶部２１４のファイル・アロケーションが表示装置２９０に表示され、ユーザが第２記憶部２１４内のディレクトリー構造と第２記憶部２１４内に記憶されたファイルの情報（例えば、名前、タイプ、サイズ）とを閲覧するのを可能にする。
【００５１】
言い換えると、プロセッサー２３０は第２記憶部２１４にアクセスしていない時、スイッチ２７０を遮断可能であるか否かは、第２記憶部２１４のＦＡＴの処理状態に応じて判定される。
【００５２】
一般に、第２記憶部２１４のＦＡＴは第２記憶部２１４内に配置される。
【００５３】
プロセッサー２３０が第２記憶部２１４をアクセスしていない時、プロセッサー２３０は先ず第２記憶部２１４に記憶された第２記憶部２１４のＦＡＴの処理状態を検出する。プロセッサー２３０が第２記憶部２１４のＦＡＴを処理していない時、スイッチ２７０はオフされ（開き）第２記憶部２１４への電力供給を停止する。一方、プロセッサー２３０が第２記憶部２１４のＦＡＴを処理している場合、スイッチ２７０はオフされず、即ち、スイッチ２７０はオン状態のままで第２記憶部２１４への電力供給を続ける。
【００５４】
このようにして、ユーザが閲覧においてファイルディレクトリーを開く時の応答遅延を回避する。
【００５５】
１つの実施形態では、第２記憶部２１４のＦＡＴは第１記憶部２１２内に配置される。
【００５６】
第２記憶部２１４のＦＡＴが第１記憶部２１２内に配置されている場合で、ユーザが第２記憶部２１４のファイル・アロケーションを閲覧しようとする場合、第１記憶部２１２内の第２記憶部２１４のＦＡＴを読み出し処理し、第２記憶部２１４のファイル・アロケーション状況、即ち、第２記憶部２１４内のディレクトリー構造と第２記憶部２１４内に記憶されたファイルの情報とを表示装置２９０に表示する。これによりユーザが第２記憶部２１４内のディレクトリー又はファイルを閲覧するのを可能にする。
【００５７】
これにより、第２記憶部２１４の電源が切られた（該スイッチがオフされた）後、第２記憶部２１４内のディレクトリー又はファイルを閲覧する場合、第２記憶部２１４に電力を供給するためにスイッチ２７０をオンにする必要なしに、第２記憶部２１４のファイル・アロケーション状況を取得できる。従って、コンピュータシステム２００の電力消費は更に効果的に低減される。
【００５８】
図１０Ａ、図１０Ｂ、図１０Ｃ、及び図１０Ｄを参照すると、本発明の電源制御方法はコンピュータシステムに適用され、コンピュータシステムが本発明の電源制御方法に対応する節電プログラムを実行するのを可能にする。従って、本発明のコンピュータシステムは、主記憶部としてＳＳＤを採用し、２次記憶部として回転ＨＤを採用する。主記憶部は、基本動作時にコンピュータシステムが必要とするシステムプログラムを記憶する。２次記憶部はコンピュータシステムの基本動作にとって不要なデータ、例えば文書ファイル、マルチメディアファイル、不要なＡＰ、ＯＳ及び／又はＡＰのバックアッププログラム等を記憶する。
【００５９】
図１０Ａを参照すると、デフォルトモードでは、コンピュータシステムの回転ＨＤは待機状態にある（ステップ４１０）。この時、ＳＳＤは、コンピュータシステムの動作状態に応じて待機状態又は作業状態に入る（不図示）。
【００６０】
動作モードにおいては、コンピュータシステムは通常、回転ＨＤに電力を供給し、文書ファイルを編集し（ステップ４２０）、回転ＨＤに記憶された様々なファイルを処理又はアクセスする（不図示）。
【００６１】
また、コンピュータシステムは回転ＨＤのアイドル時間を常に認識し、回転ＨＤを節電モードにするか否かを決定してもよい（ステップ４３０）。
【００６２】
アイドル状態の回転ＨＤがデフォルト時間に達していない、即ち、回転ＨＤのアイドル時間がデフォルト値を超えていない場合、コンピュータシステムはデフォルトモードに戻り（ステップ４４０）、回転ＨＤは待機状態になる。
【００６３】
アイドル状態の回転ＨＤがデフォルト時間に達した場合、即ち、回転ＨＤのアイドル時間がデフォルト値に達した場合、回転ＨＤ内の各ファイルの処理状態を先ず認識する（ステップ４５０）、即ち、該コンピュータシステムが回転ＨＤ内のいずれかのファイルを処理しているか否かを認識する。
【００６４】
該コンピュータシステムが回転ＨＤ内に記憶されたファイルを処理している場合、該コンピュータシステムはデフォルトモードに戻り（ステップ４４０）、回転ＨＤは待機状態になる。
【００６５】
該コンピュータシステムが回転ＨＤ内に記憶されたいずれのファイルも処理していない場合、該コンピュータシステムは回転ＨＤのＦＡＴをＳＳＤにコピーし（ステップ４６０）、節電モードに入る（ステップ４７０）。
【００６６】
節電モードでは、コンピュータシステムは回転ＨＤへの電力供給を停止し、回転ＨＤは休止状態になる（ステップ４７０）。
【００６７】
また、図１０Ｂを参照すると、ユーザが回転ＨＤ内のディレクトリー又はファイルを閲覧しようとした時、即ち、コンピュータシステムが回転ＨＤ内のディレクトリー又はファイルを閲覧する指令を受信した時（ステップ４８２）、該コンピュータシステムは、先ず回転ＨＤの状態、即ち、回転ＨＤが休止状態か否かを認識する（ステップ４９０）。
【００６８】
回転ＨＤが休止状態の時、コンピュータシステムは回転ＨＤのＦＡＴのコピー、即ち、ＳＳＤ内に記憶された回転ＨＤのＦＡＴを読み出す（ステップ５００）。
【００６９】
回転ＨＤが休止状態でない時、コンピュータシステムは回転ＨＤから回転ＨＤのＦＡＴを直接読み出す（ステップ５１０）。
【００７０】
図１０Ｃを参照すると、ユーザが回転ＨＤ内に記憶されたファイルを処理しようとした時、即ち、コンピュータシステムが回転ＨＤに記憶されたファイルを処理する指令を受信した時（ステップ４８４）、該コンピュータシステムは、先ず回転ＨＤが休止状態か否かを認識する（ステップ４９０）。
【００７１】
回転ＨＤが休止状態の時、コンピュータシステムは回転ＨＤを目覚めさせ（ステップ５２０）、回転ＨＤ内のファイルを処理する（ステップ５３０）。
【００７２】
回転ＨＤが休止状態でない時、コンピュータシステムは回転ＨＤ内のファイルを直接処理する（ステップ５３０）。
【００７３】
図１０Ｄを参照すると、ユーザが回転ＨＤにファイルを記憶しようとした時、即ち、コンピュータシステムが回転ＨＤにファイルを記憶する指令を受信した時（ステップ４８６）、該コンピュータシステムは、先ず回転ＨＤが休止状態か否かを認識する（ステップ４９０）。
【００７４】
回転ＨＤが休止状態の時、コンピュータシステムは回転ＨＤを目覚めさせ（ステップ５２０）、回転ＨＤにファイルを記憶する（ステップ５４０）。
【００７５】
回転ＨＤが休止状態でない時、コンピュータシステムは回転ＨＤにファイルを直接記憶する（ステップ５４０）。
【００７６】
例えば、本発明はノートパソコンに適用される。ノートパソコンは第１記憶部と第２記憶部とを有し、該ノートパソコンに動作用電力を供給するために、６つの電池からなる電池が使用される。基本動作時にノートパソコンが必要とするシステムプログラムは、第１記憶部に記憶される。第２記憶部がアクセスされていない時、第２記憶部への電力供給を遮断するためにスイッチが使用され、該電池の使用可能時間を２８％以上延ばすことができる。
【００７７】
上記で説明したように、本発明の電源制御付きコンピュータシステム及び電源制御方法によれば、コンピュータシステムは、記憶部がアイドル状態の時（例えば、記憶部に記憶されたファイルを処理又は読み出ししない時）、スイッチにより該記憶部への電力供給を遮断することができ、その結果、電力消費を効果的に低減する。
【符号の説明】
【００７８】
２００  コンピュータシステム
２１２  第１記憶部
２１４  第２記憶部
２３０  プロセッサー
２５０  電源モジュール
２７０  スイッチ
【図１】
2010262621.tif 000003
【図２】
2010262621.tif 000004
【図３】
2010262621.tif 000005
【図４】
2010262621.tif 000006
【図５】
2010262621.tif 000007
【図６】
2010262621.tif 000008
【図７】
2010262621.tif 000009
【図８】
2010262621.tif 000010
【図９】
2010262621.tif 000011
【図１０Ａ】
2010262621.tif 000012
【図１０Ｂ】
2010262621.tif 000013
【図１０Ｃ】
2010262621.tif 000014
【図１０Ｄ】
2010262621.tif 000015